【事件の表示】
　平成　９年特許願第１２２６６４号「クロスダイクロイックプリズムの製造方法」拒絶査定不服審判事件〔平成１０年１１月２４日出願公開、特開平１０−３１１９０７〕について、次のとおり審決する。
【結　論】
　本件審判の請求は、成り立たない。
【理　由】
１．手続の経緯・本願発明
  本願は、平成９年５月１３日の出願であって、その請求項９に係る発明は、特許請求の範囲の請求項９に記載された次のとおりのものと認める。（以下、「本願発明」という）
「第１乃至第４の４つの三角柱プリズムの側面を貼り合わせたクロスダイクロイックプリズムの製造方法であって、
　第１光反射ダイクロイック膜が一方の側面に形成された第１プリズムの該側面と第３プリズムの側面とを接合した第１接合部材と、第１光反射ダイクロイック膜が一方の側面に形成された第２プリズムの該側面と第４プリズムの側面とを接合した第２接合部材とを用意する工程と、
　前記第１接合部材の第２接合部材との接合面を光学研磨する工程と、
　前記第１接合部材の光学研磨面に第２光反射ダイクロイック膜を形成する工程と、
　前記第１接合部材の前記第２光反射ダイクロイック膜形成面と、前記第２接合部材の第１接合部材との接合面とを前記第１光反射ダイクロイック膜が略同一平面になるように接合する工程と、
を有することを特徴とするクロスダイクロイックプリズムの製造方法。」
　
２．刊行物
　これに対して、原査定の拒絶の理由に引用された、本願の出願日前である平成７年１１月１０日に頒布された特開平７−２９４８４５号公報（以下「刊行物１」という）には、以下の記載がある。
（ａ）「【発明が解決しようとする課題】
　ところが、このように４個の直角プリズムを使用した色合成用ダイクロイックプリズムは、色反射を行う接合面の精度を出すのが難しい不都合があった。即ち、第１の直角プリズム４１の赤反射膜面４１ａと、第３の直角プリズム４３の赤反射膜面４３ａとが、同一平面にならないと、赤色像光の正確な反射ができないと共に、第２の直角プリズム４２の青反射膜面４２ａと、第４の直角プリズム４４の青反射膜面４４ａとが、同一平面にならないと、青色像光の正確な反射ができない。」（【００１１】）
　
（ｂ）「本発明はかかる点に鑑み、直角プリズムを使用した色合成装置を、簡単に精度良く製造できるようにすることを目的とする。」(【００１３】)
　
（ｃ）「【００２１】
　本例の場合には、従来例で説明した３板式の液晶プロジェクタ装置に使用される色合成装置としたもので、図１は本例の色合成装置を示す斜視図である。この色合成装置は、それぞれが直角プリズムよりなる第１ブロック１１，第２ブロック１２，第３ブロック１３，第４ブロック１４の矩形面どうしを接合して構成される。この場合、各接合面には、所定色（例えば赤色又は青色）の反射膜を形成させる。
【００２２】
　即ち、第１ブロック１１の一方の矩形面１１ａと第２ブロック１２の一方の矩形面１２ａとを接合させると共に、この接合面１１ａ，１２ａの何れか一方に赤色反射膜を形成させる。また、第３ブロック１３の一方の矩形面１３ａと第４ブロック１４の一方の矩形面１４ａとを接合させると共に、この接合面１３ａ，１４ａの何れか一方に赤色反射膜を形成させる。但し、赤色反射膜を接合面１１ａに形成させたときには、接合面１３ａ側に赤色反射膜を形成させ、接合面１２ａに赤色反射膜を形成させたときには、接合面１４ａ側に赤色反射膜を形成させる。
【００２３】
　さらに、第１ブロック１１の他方の矩形面１１ｂと第３ブロック１３の他方の矩形面１３ｂとを接合させると共に、この接合面１１ｂ，１３ｂの何れか一方に青色反射膜を形成させる。さらにまた、第２ブロック１２の他方の矩形面１２ｂと第４ブロック１４の他方の矩形面１４ｂとを接合させると共に、この接合面１２ｂ，１４ｂの何れか一方に青色反射膜を形成させる。但し、青色反射膜を接合面１１ｂに形成させたときには、接合面１２ｂ側に青色反射膜を形成させ、接合面１３ｂに青色反射膜を形成させたときには、接合面１４ｂ側に青色反射膜を形成させる。」(【００２１】〜【００２３】)
　
（ｄ）「【００２７】
　次に、このように構成される色合成装置を接合させる場合の手順について、図２及び図３を参照して説明する。
【００２８】
　本例の場合には、まず第１ブロック１１の一方の矩形面１１ａと、第２ブロック１２の一方の矩形面１２ａとを接合させる。このとき、図２のＡに示すように、表面が平面状になった冶具１００を用意し、図２のＢに示すように、第１ブロック１１の他方の矩形面１１ｂと、第２ブロック１２の他方の矩形面１２ｂとを、この冶具１００の表面に接触させて、面１１ａと面１２ａとを接着剤により接合させる。このようにすることで、第１ブロック１１の他方の矩形面１１ｂと、第２ブロック１２の他方の矩形面１２ｂとが、正確に水平な平面になる。なお、第１ブロック１１の方が横幅が広いので、図１に示すように、第１ブロック１１の両側面に突出部１１ｃを形成させて接合させる。
【００２９】
　そして、第３ブロック１３と第４ブロック１４についても、同様に平面状の冶具１００を使用して、第３ブロック１３の他方の矩形面１３ｂと、第４ブロック１４の他方の矩形面１４ｂとを、この冶具１００の表面に接触させて、面１３ａと面１４ａとを接着剤により接合させる。このようにすることで、第３ブロック１３の他方の矩形面１３ｂと、第４ブロック１４の他方の矩形面１４ｂとが、正確に水平な平面になる。なお、この場合にも第３ブロック１３の方が横幅が広いので、図１に示すように、第３ブロック１３の両側面に突出部１３ｃを形成させて接合させる。
【００３０】
　そして、第１ブロック１１と第２ブロック１２との接合物と、第３ブロック１３と第４ブロック１４との接合物とを、図２のＣに示すように、冶具２００を使用して接合させる。この冶具２００は、図３に示すように、中央部に四角い透孔２０１が設けられ、この透孔２０１の両側面２０２の表面が水平になったものである。そして、図２のＤに示すように、第１ブロック１１と第２ブロック１２との接合物の両側面の突出部１１ｃと、第３ブロック１３と第４ブロック１４との接合物の両側面の突出部１３ｃとを、冶具２００の両側面２０２の表面に接触させた状態で、面１１ｂ及び１２ｂと、面１３ｂ及び１４ｂとを接着剤により接合させる。
【００３１】
　このようにすることで、図２のＢの工程で水平に接合された第１ブロック１１と第２ブロック１２の面１１ｂ及び１２ｂと、第３ブロック１３と第４ブロック１４の面１３ｂ及び１４ｂとで形成される接合面が、完全な平面になると共に、
この接合面と直交する側の接合面も、第１ブロック１１の突出部１１ｃと第３ブロック１３の突出部１３ｃとを合わせて接合させるので、完全な平面になり、直交する２つの接合面を正確な平面とすることができる。」（【００２７】〜【００３１】）　
　
　これら記載及び図１〜図３からみて、刊行物１には、第１ブロック１１、第２ブロック１２、第３ブロック１３及び第４ブロック１４の４つの直角プリズムの矩形面を接着剤で接合する色合成用ダイクロイックプリズム製造方法であって、以下の工程を有する製造方法が記載されていると認められる。
・第１ブロック１１の一方の矩形面１１ａに赤色反射膜を形成させ、この矩形面１１ａと第２ブロック１２の一方の矩形面１２ａとを接合させるとともに、
　第３ブロック１３の一方の矩形面１３ａに赤色反射膜を形成させ、この矩形面１３ａと第４ブロック１４の一方の矩形面１４ａとを接合させる工程。
　
・第１ブロック１１の他方の矩形面１１ｂに青色反射膜を形成させるとともに、この接合面１１ｂに第３ブロック１３の他方の矩形面１３ｂを接合させ、第２ブロック１２の他方の矩形面１２ｂに青色反射膜を形成させるとともに、この接合面１２ｂに第４ブロック１４の他方の矩形面１４ｂを接合させて、第１ブロック１１と第２ブロック１２との接合物と、第３ブロック１３と第４ブロック１４との接合物を、この両者間の接合面と直交する側の接合面、すなわち赤色反射膜の面も平面になり、直交する２つの接合面を正確な平面とするように接合させる工程。
　
３．対比
　刊行物１に記載の発明における「直角プリズム」「第１ブロック」「第２ブロック」「第３ブロック」「第４ブロック」「赤色反射膜」」がそれぞれ本願発明の「三角柱プリズム」「第１プリズム」「第３プリズム」「第２のプリズム」「第４のプリズム」「第１光反射ダイクロイック膜」に相当し、同じく「第１ブロックと第２ブロックとの接合物」「第３ブロックと第４ブロックとの接合物」「青色反射膜」がそれぞれ「第１接合部材」「第２接合部材」「第２光反射ダイクロイック膜」に相当するから、両者は、
「第１乃至第４の４つの三角柱プリズムの側面を貼り合わせたクロスダイクロイックプリズムの製造方法であって、
　第１光反射ダイクロイック膜が一方の側面に形成された第１プリズムの該側面と第３プリズムの側面とを接合した第１接合部材と、第１光反射ダイクロイック膜が一方の側面に形成された第２プリズムの該側面と第４プリズムの側面とを接合した第２接合部材とを用意する工程と、
　前記第１接合部材の第２光反射ダイクロイック膜形成面と、前記第２接合部材の第１接合部材との接合面とを前記第１光反射ダイクロイック膜が略同一平面になるように接合する工程と、
を有するクロスダイクロイックプリズムの製造方法。」である点で一致し、以下の点で相違している。
　
相違点１
　本願発明が、前記第１接合部材の第２接合部材との接合面を光学研磨する工程と、前記第１接合部材の光学研磨面に第２光反射ダイクロイック膜を形成する工程とを有しているのに対して、刊行物１にはこれらの工程に関する記載がない点。
　
４．判断
　相違点１について検討する。
　光学部材を貼合わせ、貼合わされたこれら光学部材によって形成される面を研磨することで面一な平面とし、この平面上に所定光学特性の平らな光学膜を形成することが周知であるから（例として、特公昭３９−２００４９号公報（１頁右欄３７−４４行）参照）、上記相違点の構成とすることは当業者が容易に想到し得たことである。
　そして、出願人の主張する本願発明の効果は、刊行物１及び周知技術から当業者が予測できる範囲のものである。
　
５．むすび
　したがって、本願発明は、刊行物１に記載された発明に基づいて当業者が容易に発明をすることができたものであるから、特許法第２９条第２項の規定により特許を受けることができない。
　よって結論のとおり審決する。